(57)【要約】      （修正有）【課題】容易にかつ長期間に亘り確実にドレンに固定することができる固定用治具付きストレーナを提供する。【解決手段】多数の開口を持つ格子状をなす蓋状のストレーナ本体２と、そのストレーナ本体２の下端部に設けられた固定用治具３とを具える固定用治具付きストレーナ１であって、固定用治具３は、ストレーナ本体２の中心部を貫通するネジ部材３ｂと、互いに弾性変形可能に一体的に結合された各々弾性変形可能な複数のリンク部材３ｃで平行リンクを構成するとともにネジ部材３ｂで変形駆動されるリンク機構３ｄと、リンク機構３ｄのリンク部材同士の結合部３ｅに配置されるとともにネジ部材３ｃを中心とする周方向に互いに間隔を開けて延在してそのリンク機構３ｄの変形により全体的に拡縮径する複数の固定用部材３ｆと、を有する。【選択図】図２
0003218844.tif 000002
【実用新案登録請求の範囲】
【請求項１】
多数の開口を持つ格子状をなす蓋状のストレーナ本体と、
そのストレーナ本体の下端部に設けられた固定用治具と、
を具える固定用治具付きストレーナにおいて、
前記固定用治具は、
ストレーナ本体の中心部を貫通するネジ部材と、
互いに弾性変形可能に一体的に結合された各々弾性変形可能な複数のリンク部材で平行リンクを構成するとともに前記ネジ部材で変形駆動されるリンク機構と、
前記リンク機構のリンク部材同士の結合部に配置されるとともに前記ネジ部材を中心とする周方向に互いに間隔を開けて延在してそのリンク機構の変形により全体的に拡縮径する複数の固定用部材と、
を有することを特徴とする固定用治具付きストレーナ。
【請求項２】
前記リンク部材は、舌片状の板状をなすものであることを特徴とする、請求項１記載の固定用治具付きストレーナ。
【請求項３】
前記固定用部材は、弓形に湾曲した板状をなすものであることを特徴とする、請求項１または２記載の固定用治具付きストレーナ。
【請求項４】
前記リンク機構は、固定するドレンの内径に応じて一つまたは、前記ネジ部材を中心とする周方向に等間隔に複数有していることを特徴とする、請求項１から３までの何れか１項記載の固定用治具付きストレーナ。
【考案の詳細な説明】
【技術分野】
【０００１】
本考案は、排水管内へのごみや落ち葉等の流れ込みを防止するためにドレンに設置されるストレーナに関し、特には、ドレンへの固定用の治具を具える固定用治具付きストレーナに関するものである。
【背景技術】
【０００２】
一般に、建築物の陸屋根や屋上等には、雨樋や排水路等に雨水等を排出するための排水管に繋がるドレンが設置されており、ドレンの入口部には、雨水等の排水に伴うごみや落ち葉等のドレン内への流れ込みを防止するためにストレーナが固定されている。
【０００３】
従来のストレーナとしては、例えば特許文献１に示すものが知られ、このストレーナは、多数の開口を持つ格子状をなす蓋状のストレーナ本体と、そのストレーナ本体の下端部に設けられた固定用治具とを具えており、その固定用治具は、ストレーナ本体の下端部の中央から舌片状の足を半径方向外方へ向けて放射状に複数本突出させ、それらの足を弾性的に撓ませて互いに接近させた状態でドレン内に挿入してから解放すると、それらの足が先端部を全体的に拡径させてドレンの内周面に弾性力で当接することで、ストレーナをドレンに固定する。
【０００４】
従来のストレーナとしてはまた、例えば特許文献２に示すものも知られ、このストレーナは、多数の開口を持つ格子状をなす蓋状のストレーナ本体と、そのストレーナ本体に設けられて下方に突出する固定用治具とを具えており、その固定用治具は、ストレーナ本体の中心部を上下方向に貫通するネジ部材と、軸部材で互いに連結された複数のリンク部材で平行リンクを構成するとともに前記ネジ部材で変形駆動されるリンク機構と、そのリンク機構のリンク部材同士の連結部に配置されてそのリンク機構の変形により全体的に拡縮径する複数個の固定用部材と、を有し、その固定用治具を複数個の固定用部材の縮径状態でドレン内に挿入してから、ストレーナの上方に突出するネジ部材を回転させることによってリンク機構を変形駆動すると、複数個の固定用部材が全体的に拡径してドレンの内周面に機械的に当接することで、ストレーナをドレンに対し固定する。
【先行技術文献】
【特許文献】
【０００５】
【特許文献１】特開平９−１６５８８５号公報
【特許文献２】実用新案登録第３１５３５３６号公報
【考案の概要】
【考案が解決しようとする課題】
【０００６】
しかしながら、前者のストレーナでは、固定用治具が舌片状の複数本の足をドレンの内周面にそれらの足の弾性力で当接させるだけなので、ストレーナをドレンに強固に固定することができないという問題があった。
【０００７】
一方、後者のストレーナでは、固定用治具がリンク機構の機械的変形で複数個の小さな固定用部材をドレンの内周面に当接させるので、ドレンを形成するパイプが特に塩化ビニール（塩ビ）製改修ドレンのように柔らかいものであると、固定用部材がドレンの一部分を押圧することでその部分だけを突出させて変形させたりその部分を突き破って破損させたりする恐れがあった。
【０００８】
それゆえ本考案は、上述の如き従来のストレーナの課題を有利に解決する固定用治具付きストレーナを提供することを目的としている。
【課題を解決するための手段】
【０００９】
本考案の固定用治具付きストレーナは、
多数の開口を持つ格子状をなす蓋状のストレーナ本体と、
そのストレーナ本体の下端部に設けられた固定用治具と、を具え、
前記固定用治具は、
ストレーナ本体の中心部を貫通するネジ部材と、
互いに弾性変形可能に一体的に結合された各々弾性変形可能な複数のリンク部材で平行リンクを構成するとともに前記ネジ部材で変形駆動されるリンク機構と、
前記リンク機構のリンク部材同士の結合部に配置されるとともに前記ネジ部材を中心とする周方向に互いに間隔を開けて延在してそのリンク機構の変形により全体的に拡縮径する複数の固定用部材と、
を有することを特徴としている。
【００１０】
前記リンク部材は、舌片状の板状をなすものであると、固定用治具を安価に構成できるので好ましい。
【００１１】
前記固定用部材は、弓形に湾曲した板状をなすものであると、固定用治具を安価に構成できるとともに、広い接触面積でドレン内周面に当接させて柔らかいドレンにでも突き破りの心配なく固定できるので好ましい。
【００１２】
前記リンク機構は、固定するドレンの内径に応じて一つまたは、前記ネジ部材を中心とする周方向に等間隔に複数有していると、小径ドレンの場合にリンク機構が一つなので異物が引っ掛かりにくく、大径ドレンの場合にはリンク機構が複数なのでドレンの部分的な変形を防ぎながら確実に固定することができる。
【考案の効果】
【００１３】
本考案の固定用治具付きストレーナにあっては、固定用治具を複数の固定用部材の縮径状態でドレン内に挿入してから、ストレーナの中心部を貫通するネジ部材を回転させることによってリンク機構を変形駆動すると、リンク部材同士の結合部が弾性変形することで、複数の固定用部材が全体的に拡径してドレンの内周面に機械的かつ弾性的に当接するとともに、ドレンの内周面からの反力を各リンク部材が弾性変形で吸収して、ストレーナをドレンに対し固定する。
【００１４】
従って、本考案の固定用治具付きストレーナによれば、ドレンを形成するパイプが特に塩化ビニール製改修ドレンのように柔らかいものであっても、固定用部材がドレンの一部分を押圧することでその部分だけを突出させて変形させたりその部分を突き破って破損させたりすることがないので、ストレーナを容易にかつ長期間に亘り確実にドレンに固定することができる。
【図面の簡単な説明】
【００１５】
【図１】（ａ），（ｂ）は、本考案の一実施形態の固定用治具付きストレーナを示す上面図および側面図である。
【図２】（ａ），（ｂ）は、上記実施形態の固定用治具付きストレーナを示す斜視図および下面図である。
【図３】（ａ），（ｂ）は、上記実施形態の固定用治具付きストレーナを、ストレーナ本体を省略するとともに固定用部材を縮径して固定用治具をドレン内へ遊挿した状態で示す側面図および上面図である。
【図４】（ａ），（ｂ）は、上記実施形態の固定用治具付きストレーナを、ストレーナ本体を省略するとともに固定用部材を拡径して固定用治具をドレンの内周面に押圧固定した状態で示す側面図および上面図である。
【図５】上記実施形態の固定用治具付きストレーナを、図４（ａ），（ｂ）に示すように固定用部材を拡径して固定用治具をドレンの内周面に押圧固定した状態で示す斜視図である。
【考案を実施するための形態】
【００１６】
以下、図面を参照して本考案の実施形態につき詳細に説明する。ここに、図１（ａ）および図１（ｂ）は、本考案の一実施形態の固定用治具付きストレーナを示す上面図および側面図、また図２（ａ）および図２（ｂ）は、上記実施形態の固定用治具付きストレーナを示す斜視図および下面図である。
【００１７】
図中符合１で示すこの実施形態の固定用治具付きストレーナは、多数の開口を持つ格子状をなす蓋状のストレーナ本体２と、そのストレーナ本体２の下端部に設けられた固定用治具３とを具えており、図示例のストレーナ本体２は、略円盤状の基部２ａとその基部２ａ上に突設固定された略円錐状の上部２ｂとを有し、後述する縦引きタイプのドレンＤの入口部である上端開口部に配置されてその上端開口部を蓋状に覆い、上記多数の開口からの雨水等の排水に伴うごみや落ち葉等のドレン内への流れ込みを防止する。
【００１８】
また、図示例の固定用治具３は、頭部３ａがストレーナ本体２の上端部と掛合した状態で回転自在にストレーナ本体２の中心部を上下方向に貫通するネジ部材３ｂと、互いに弾性変形可能に一体的に結合された各々弾性変形可能な４枚のリンク部材３ｃで各々平行リンクを構成する、図示例ではネジ部材３ｂを中心として互いに等間隔になるように互いに直交する二つのリンク機構３ｄとを有し、各リンク機構３ｄは、両端部および中央部にネジ部材３ｂの通る孔をあけた舌片状の例えば鋼板製の細長い一枚の薄板を略菱形に折り曲げて、その薄板の両端部および中央部の孔に通したネジ部材３ｂでその両端部を互いに結合することで、互いに結合部３ｅで弾性変形可能に一体的に結合されるとともに各々弾性的に撓み変形可能な上記４枚のリンク部材３ｃを持つように構成されている。
【００１９】
さらに、各リンク機構３ｄの上記４枚のリンク部材３ｃの上下左右の結合部３ｅのうち図では左右の結合部３ｅは上下方向に延在しており、それら左右の結合部３ｅにはそれぞれ、ネジ部材３ｂを中心とした周方向に弓形に湾曲した例えば鋼板製の薄板状の固定用部材３ｆが例えばスポット溶接等で固着されており、また、二つのリンク機構３ｄの、図示例ではそれぞれ下端部に位置する上記薄板の両端部のうち最も下側の端部には、ネジ部材３ｂの下端部に螺合するナット３ｇが例えばスポット溶接等で固着されている。
【００２０】
そして、二つのリンク機構３ｄの上端部とネジ部材３ｂ頭部３ａとの間のネジ部材３ｂの軸部あるいはネジ部には、二つのリンク機構３ｄの上端部とストレーナ本体２の上端部との間に介在して二つのリンク機構３ｄの固定用部材３ｆをストレーナ本体２の下方でドレン内の適当な高さに位置させるように、筒状のスペーサ３ｈが挿通されている。
【００２１】
図３（ａ）および図３（ｂ）は、上記実施形態の固定用治具付きストレーナを、ストレーナ本体を省略するとともに固定用部材を縮径して固定用治具をドレン内へ遊挿した状態で示す側面図および上面図であり、この実施形態の固定用治具付きストレーナ１を縦引きタイプのドレンＤに固定する際には、先ずストレーナ本体２の上端部に位置するネジ部材３ｂの頭部３ａを例えばドライバーでネジ部材３ｂの緩め方向に回転させて、ナット３ｇをネジ部材３ｂの下端方向へ移動させることで、図３に示すように、二つのリンク機構３ｄをそれぞれ、隣り合うリンク部材３ｃ同士の結合部３ｅが弾性変形することで４枚のリンク部材３ｃからなる平行リンクの菱形が潰れて細くなるように変形駆動し、これにより４枚の固定用部材３ｆが全体にネジ部材３ｂを中心として径方向にドレンＤの内径よりも小さく縮径した状態で、固定用治具３の二つのリンク機構３ｄをドレンＤ内に、ドレンＤの内周面と各固定用部材３ｆとの間に隙間を空けて遊挿し、ストレーナ本体２でドレンＤの上端開口部を隙間なく覆う。
【００２２】
図４（ａ）および図４（ｂ）は、上記実施形態の固定用治具付きストレーナを、ストレーナ本体を省略するとともに固定用部材を拡径して固定用治具をドレンの内周面に押圧固定した状態で示す側面図および上面図、図５は、上記実施形態の固定用治具付きストレーナを、図４（ａ），（ｂ）に示すように固定用部材を拡径して固定用治具をドレンの内周面に押圧固定した状態で示す斜視図であり、上述の如くして固定用治具３の二つのリンク機構３ｄをドレンＤ内に遊挿した後、ストレーナ本体２の上端部に位置するネジ部材３ｂの頭部３ａを例えばドライバーでネジ部材３ｂの締め込み方向に回転させて、ナット３ｇをネジ部材３ｂの頭部３ａ方向へ移動させることで、図４および図５に示すように、二つのリンク機構３ｄをそれぞれ、隣り合うリンク部材３ｃ同士の結合部３ｅが弾性変形することで４枚のリンク部材３ｃからなる平行リンクの菱形が膨れて太くなるように変形駆動し、これにより４枚の固定用部材３ｆが全体にネジ部材３ｂを中心として径方向にドレンＤの内径まで拡径してドレンＤの内周面に機械的かつ弾性的に当接するとともに、ドレンＤの内周面からの反力を各リンク部材３ｃが弾性的な撓み変形で吸収して、固定用治具付きストレーナ１をドレンＤに対し固定する。
【００２３】
従って、この実施形態の固定用治具付きストレーナ１によれば、ドレンＤを形成するパイプが特に塩化ビニール製の改修ドレンのように柔らかいものであっても、固定用部材３ｆがドレンＤの一部分を押圧することでその部分だけを突出させて変形させたりその部分を突き破って破損させたりすることがないので、固定用治具付きストレーナ１を容易にかつ長期間に亘り確実にドレンＤに固定することができる。
【００２４】
しかも、この実施形態の固定用治具付きストレーナ１によれば、リンク部材３ｃは、舌片状の板材からなるものであることから、固定用治具３を安価に構成することができる。
【００２５】
また、固定用部材３ｆは、弓形に湾曲した板状をなすものであることから、固定用治具３を安価に構成できるとともに、広い接触面積でドレンＤの内周面に当接させて、回収ドレンのような柔らかいドレンＤにでも確実に固定することができる。
【００２６】
さらに、図示例では大径のドレンＤ用に、ネジ部材３ｂを中心とする周方向に互いに等間隔に位置し、すなわち直交する二つのリンク機構３ｄを有して、ドレンＤ内に確実に固定できるようにしているが、固定するドレンＤの内径に応じて、さらに大径のドレンＤの場合には三つ以上のリンク機構３ｄを有する一方、小径のドレンＤの場合にはリンク機構３ｄを一つとして、リンク機構３ｄに異物が引っ掛かりにくいようにしても良い。
【００２７】
以上、図示例に基づき説明したが、本考案は上記例に限定されるものでなく実用新案登録請求の範囲の記載範囲内で適宜変更することができ、例えば上記例では二つのリンク機構３ｄをそれぞれ舌片状の細長い板材で形成したが、これに代えて二つのリンク機構３ｄを舌片状の細長い腕部が十字状に延在する一枚の板材で形成するようにしても良く、また、ナット３ｇを設ける代わりにリンク部材３ｃの孔に雌ネジを形成しても良い。
【００２８】
さらに、リンク部材３ｃを薄板状の部材でなく弾性変形可能な棒状の部材としても良く、また、ストレーナ本体２の形状も、上記例の略円錐状に代えて半球状や円盤状としても良い。
【００２９】
そして、上記実施形態の固定用治具付きストレーナ１は縦引きドレンに適用したが、本考案の固定用治具付きストレーナは横引きドレンに適用することもでき、その場合に、ストレーナ本体２の形状を断面Ｌ字状としても良い。
【産業上の利用可能性】
【００３０】
かくして本考案の固定用治具付きストレーナによれば、ドレンを形成するパイプが特に塩化ビニール製の改修ドレンのように柔らかいものであっても、固定用部材がドレンの一部分を押圧することでその部分だけを突出させて変形させたりその部分を突き破って破損させたりすることがないので、ストレーナを容易にかつ長期間に亘り確実にドレンに固定することができる。
【符号の説明】
【００３１】
１  固定用治具付きストレーナ
２  ストレーナ本体
２ａ  基部
２ｂ  上部
３  固定用治具
３ａ  頭部
３ｂ  ネジ部材
３ｃ  リンク部材
３ｄ  リンク機構
３ｅ  結合部
３ｆ  固定用部材
３ｇ  ナット
３ｈ  スペーサ
【図１】
0003218844.tif 000003
【図２】
0003218844.tif 000004
【図３】
0003218844.tif 000005
【図４】
0003218844.tif 000006
【図５】
0003218844.tif 000007